(57)【要約】【課題】限られたスペース内でエアコン室外機とバルコニーの前壁部との離間距離をできるだけ大きくすることが可能なエアコン室外機の設置構造を得る。【解決手段】バルコニー１２と屋内１６を区画する外壁部１８の下部１８Ａにおいて、当該バルコニー１２の側壁部２８側には、屋内１６側へ向かって凹む凹部３６が形成されている。この凹部３６内に、バルコニー１２に設置されるエアコン室外機１０の長手方向の一端部１０Ａが収納されている。これにより、バルコニー１２の外壁部１８の壁面１９を基準として、エアコン室外機１０が突出する突出量Ｌは、外壁部１８に凹部３６が設けられていない場合よりも少なくなる。このように、エアコン室外機１０の突出量Ｌが少なくなった分、バルコニー１２という限られたスペース内でエアコン室外機１０とバルコニー１２の腰壁部２６との離間距離を大きくすることが可能となる。【選択図】図２
2020180448.tif 000002
【特許請求の範囲】
【請求項１】
バルコニーと屋内を区画する外壁部の下部における前記バルコニーの側壁部側に形成され、前記屋内側へ向かって凹む凹部と、
前記バルコニーに設置され、前記凹部内に少なくとも一部が収納されたエアコン室外機と、
を有するエアコン室外機の設置構造。
【請求項２】
前記エアコン室外機が直方体状を成し、前記エアコン室外機の長手方向が前記バルコニーの奥行方向と一致した状態で、当該エアコン室外機が前記バルコニーの前壁部から離間して配置されている請求項１に記載のエアコン室外機の設置構造。
【請求項３】
前記凹部内に前記エアコン室外機が収納された状態で、当該エアコン室外機のファン部の少なくとも一部が当該凹部から露出されている請求項２に記載のエアコン室外機の設置構造。
【請求項４】
前記凹部の上方側の外壁部において、前記バルコニー側を構成する外壁と前記屋内側を構成する内壁の間に、当該屋内に設置されたエアコン室内機と前記エアコン室外機を接続する配管が配設されている請求項１〜請求項３の何れか１項に記載のエアコン室外機の設置構造。
【請求項５】
前記外壁部の前記屋内側を構成する内壁の一般面に対して前記内壁の一部を当該屋内側へオフセットさせることで、前記凹部が形成されている請求項１〜請求項４の何れか１項に記載のエアコン室外機の設置構造。
【請求項６】
前記エアコン室外機が直方体状を成し、前記エアコン室外機の長手方向が前記外壁部に沿うように当該エアコン室外機が配置されている請求項１に記載のエアコン室外機の設置構造。
【請求項７】
前記屋内側へオフセットされた内壁の一部を含んで収納部が形成されている請求項５に記載のエアコン室外機の設置構造。
【発明の詳細な説明】
【技術分野】
【０００１】
本発明は、エアコン室外機の設置構造に関する。
【背景技術】
【０００２】
特許文献１には、バルコニーの側面に沿ってカウンター付きのスロップシンクが設けられた技術が開示されている。この先行技術では、スロップシンクの下部に、フロントカバー付きの収納部が設けられており、この収納部内にエアコン室外機が収納されている。
【先行技術文献】
【特許文献】
【０００３】
【特許文献１】特開２００２−３２７９３９号公報
【発明の概要】
【発明が解決しようとする課題】
【０００４】
しかしながら、前述のように、バルコニーにカウンター付のスロップシンクが設けられた場合、カウンターの上に幼児が乗ると、バルコニーの腰壁部（前壁部）に手が届いてしまう可能性がある。この点において、さらなる改善の余地がある。
【０００５】
本発明は上記事実を考慮し、限られたスペース内でエアコン室外機とバルコニーの前壁部との離間距離をできるだけ大きくすることが可能なエアコン室外機の設置構造を提供することを目的とする。
【課題を解決するための手段】
【０００６】
第１の態様に係るエアコン室外機の設置構造は、バルコニーと屋内を区画する外壁部の下部における前記バルコニーの側壁部側に形成され、前記屋内側へ向かって凹む凹部と、前記バルコニーに設置され、前記凹部内に少なくとも一部が収納されたエアコン室外機と、を有している。
【０００７】
第１の態様に係るエアコン室外機の設置構造では、バルコニーと屋内を区画する外壁部の下部において、当該バルコニーの側壁部側には、屋内側へ向かって凹む凹部が形成されている。この凹部内に、バルコニーに設置されるエアコン室外機の少なくとも一部が収納されている。
【０００８】
このように、バルコニーの外壁部に凹部を設け、当該凹部内にエアコン室外機の少なくとも一部が収納されることによって、バルコニーの外壁部の壁面を基準として、エアコン室外機が突出する突出量が少なくなる。したがって、本態様では、エアコン室外機の突出量が少なくなった分、バルコニーという限られたスペース内でエアコン室外機とバルコニーの前壁部との離間距離を大きくすることが可能となる。
【０００９】
第２の態様に係るエアコン室外機の設置構造は、第１の態様に係るエアコン室外機の設置構造において、前記エアコン室外機が直方体状を成し、前記エアコン室外機の長手方向が前記バルコニーの奥行方向と一致した状態で、当該エアコン室外機が前記バルコニーの前壁部から離間して配置されている。
【００１０】
第２の態様に係るエアコン室外機の設置構造では、直方体状を成すエアコン室外機の長手方向がバルコニーの奥行方向と一致した状態では、エアコン室外機は、いわゆる縦置きとされる。本態様では、縦置きの状態で、当該エアコン室外機はバルコニーの前壁部から離間して配置されている。
【００１１】
エアコン室外機が縦置きされることにより、例えば、バルコニーの外壁部に設けられた凹部内にエアコン室外機の長手方向の一端部が収容されるとなると、エアコン室外機の長手方向の他端部は、バルコニーの前壁部側に配置されることとなる。このため、本態様では、エアコン室外機が縦置きされたとしても、エアコン室外機は当該バルコニーの前壁部から離間して配置されている。
【００１２】
また、エアコン室外機が縦置きされることにより、エアコン室外機が横置きにされた場合と比較して、バルコニーの奥行方向と略直交するバルコニーの長手方向に沿った凹部の幅方向の寸法を短くすることができる。これにより、屋内側において、窓の開口面積を広くすることができ、採光性を向上させることができる。
【００１３】
第３の態様に係るエアコン室外機の設置構造は、第２の態様に係るエアコン室外機の設置構造において、前記凹部内に前記エアコン室外機が収納された状態で、当該エアコン室外機のファン部の少なくとも一部が当該凹部から露出されている。
【００１４】
第３の態様に係るエアコン室外機の設置構造では、バルコニーの外壁部に設けられた凹部内にエアコン室外機が収納された状態で、当該エアコン室外機のファン部の少なくとも一部が当該凹部から露出されることによって、ファン部の通風性が確保される。
【００１５】
第４の態様に係るエアコン室外機の設置構造は、第１の態様〜第３の態様の何れか１項に係るエアコン室外機の設置構造において、前記凹部の上方側の外壁部における前記バルコニー側を構成する外壁と前記屋内側を構成する内壁の間に、当該屋内に設置されたエアコン室内機と前記エアコン室外機を接続させる配管が配設されている。
【００１６】
第４の態様に係るエアコン室外機の設置構造では、凹部の上方側の外壁部において、バルコニー側を構成する外壁と屋内側を構成する内壁との間に配管が配設されている。この配管により、屋内に設置されたエアコン室内機とエアコン室外機とが接続されている。
【００１７】
このように、バルコニーの外壁部内に当該配管が配設されることにより、エアコン室内機用の配管が屋内側に露出しないようにすることができ、屋内をすっきりさせることができる。また、バルコニー側においても屋内と同様、エアコン室外機用の配管が露出しないようにすることができ、バルコニーをすっきりさせることができる。
【００１８】
なお、ここでの「内壁」は、屋内側の壁を指すものである。このため、屋内側を構成する、いわゆる内壁パネル以外に、例えば、外壁部の屋内側を構成する内壁パネルのさらに屋内側にふかし壁が設けられた場合、バルコニー側を構成する外壁パネルとふかし壁の間に配管が設けられるという意味である。
【００１９】
第５の態様に係るエアコン室外機の設置構造は、第１の態様〜第４の態様の何れか１項に係るエアコン室外機の設置構造において、前記外壁部の前記屋内側を構成する内壁の一般面に対して前記内壁の一部を当該屋内側へオフセットさせることで、前記凹部が形成されている。
【００２０】
第５の態様に係るエアコン室外機の設置構造では、外壁部の屋内側を構成する内壁の一般面に対して内壁の一部を当該屋内側へオフセットさせることによって、バルコニーの外壁部に凹部が形成されている。このため、屋内側では突出部が設けられることとなる。
【００２１】
第６の態様に係るエアコン室外機の設置構造は、第１の態様に係るエアコン室外機の設置構造において、前記エアコン室外機が直方体状を成し、前記エアコン室外機の長手方向が前記外壁部に沿うように当該エアコン室外機が配置されている。
【００２２】
第６の態様に係るエアコン室外機の設置構造では、直方体状を成すエアコン室外機の長手方向が外壁部に沿うようにして、当該エアコン室外機が設置されている（いわゆる横置き）。このように、エアコン室外機を横置きにすると、エアコン室外機を縦置きにした場合と比較して、当該エアコン室外機とバルコニーの前壁部との離間距離が大きくなる。このため、エアコン室外機とバルコニーの前壁部との離間距離が大きくなった分、屋内の外壁部をバルコニーの前壁部側に出すことで、屋内スペースを広くすることが可能となる。
【００２３】
第７の態様に係るエアコン室外機の設置構造は、第５の態様に係るエアコン室外機の設置構造において、前記屋内側へオフセットされた内壁の一部を含んで収納部が形成されている。
【００２４】
第７の態様に係るエアコン室外機の設置構造では、屋内側へオフセットされた内壁の一部を含んで収納部が形成されることによって、凹部の形成に伴い屋内側へ突出した内壁が当該収納部の一部を成すことになる。つまり、凹部の形成に伴う内壁の突出分が屋内側に露出することはなく、収納部の形成によって有効活用されることとなる。
【発明の効果】
【００２５】
以上説明したように、本発明に係るエアコン室外機の設置構造は、限られたスペース内でエアコン室外機とバルコニーの前壁部との離間距離をできるだけ大きくすることができる、という優れた効果を有する。
【図面の簡単な説明】
【００２６】
【図１】本実施形態に係るエアコン室外機の設置構造が適用されたバルコニーを含む建物ユニットの一部を示す平面図である。
【図２】図１に示すＡ−Ａ線に沿って切断したときの断面図である。
【図３】比較例としての図１に対応する平面図である。
【図４】比較例としての図２に対応する断面図である。
【発明を実施するための形態】
【００２７】
以下、図面を用いて、本実施の形態に係るエアコン室外機の設置構造について説明する。
【００２８】
＜エアコン室外機の設置構造の構成＞
まず、本実施の形態に係るエアコン室外機の設置構造の構成について説明する。
【００２９】
図１には、例えば、本実施形態に係るエアコン室外機１０の設置構造が適用されたバルコニー１２を含む建物ユニット１４の平面図が示されており、図２には、図１に示すＡ−Ａ線に沿って切断したときの断面図が示されている。なお、ここでは、１つの建物ユニット１４が図示されているが、当該建物ユニット１４に対して、建物の高さ方向及び水平方向に隣接する建物ユニットの図示は省略している。
【００３０】
図１に示されるように、建物ユニット１４は、バルコニー１２と屋内空間（屋内）１６とを含んで構成されており、バルコニー１２と屋内１６は、外壁部１８によって区画されている（後述する）。外壁部１８には、開口部２０が設けられており、開口部２０の内縁には、図示しないガラス戸用のサッシ枠２２が設けられている。このサッシ枠２２内にガラス戸がスライド可能に設けられ、ガラス戸の開閉によって屋内１６とバルコニー１２とが連通可能とされる。
【００３１】
例えば、バルコニー１２は平面視で矩形状を成しており、バルコニー１２の床部２４の自由端部２４Ａには、バルコニー１２の前部を構成する腰壁部（前壁部）２６が設けられている。この腰壁部２６の両端には、バルコニー１２の側壁部２８、３０がそれぞれ設けられている。なお、この側壁部２８、３０は、建物ユニット１４の外壁部３２、３４の一部をそれぞれ構成しているが、腰壁部２６と連続する腰壁部であってもよい。
【００３２】
ここで、本実施形態では、図１、図２に示されるように、バルコニー１２と屋内１６とを区画する外壁部１８の下部１８Ａには、例えば、バルコニー１２の側壁部２８側に、平面視で逆Ｌ字状に形成された凹部３６が形成されている。なお、当該凹部３６は、バルコニー１２の側壁部３０側に形成されてもよい。
【００３３】
（凹部）
ここで、凹部３６について具体的に説明する。
【００３４】
図１に示されるように、当該凹部３６は、バルコニー１２の外壁部１８に沿った幅方向の寸法Ｗ１が、エアコン室外機１０の長手方向に対して略直交する幅方向の寸法Ｗ２よりも大きくなるように形成されている。また、凹部３６は、バルコニー１２の外壁部１８の壁面１９を基準として、当該バルコニー１２の奥行方向（矢印Ａ方向）に沿った寸法Ｄは、少なくともエアコン室外機１０の長手方向の一端部１０Ａが収納可能となるように設定されている。
【００３５】
これにより、本実施形態では、バルコニー１２の奥行方向とエアコン室外機１０の長手方向が一致するように当該エアコン室外機１０が設置され（いわゆる縦置き）、図２に示されるように、エアコン室外機１０の長手方向の一端部１０Ａが凹部３６内に収納されている。
【００３６】
このように、エアコン室外機１０が縦置きされることにより、エアコン室外機１０の長手方向の他端部１０Ｂは、バルコニー１２の腰壁部２６側に配置されることとなる。このため、本実施形態では、エアコン室外機１０の長手方向の他端部１０Ｂとバルコニー１２の腰壁部２６との離間距離はＬ１とされ、エアコン室外機１０はバルコニー１２の腰壁部２６から離間して配置される。
【００３７】
一方、エアコン室外機１０の長手方向の他端部１０Ｂ側には、ファン部３８が設けられている。すなわち、本実施形態では、エアコン室外機１０の長手方向の一端部１０Ａが凹部３６内に収納された状態で、エアコン室外機１０のファン部３８が当該凹部３６から露出されている。
【００３８】
ところで、本実施形態では、前述したように、バルコニー１２と屋内１６とを区画する外壁部１８の下部１８Ａに凹部３６が設けられている。このため、当該凹部３６の上方側は、見かけ上、外壁部１８が前方側へ向かって突出した状態となっている。
【００３９】
当該外壁部１８は、バルコニー１２側を構成する外壁パネル（外壁）４０と、屋内１６側を構成する内壁パネル（内壁）４２と、を含んで構成されている。また、外壁パネル４０と内壁パネル４２の間には空間部４４が設けられており、空間部４４内には、断熱材４６が充填されている。
【００４０】
さらに、本実施形態では、内壁パネル４２の屋内１６側に、ふかし壁４８が設けられている。つまり、内壁パネル４２とふかし壁４８の間には、空間部５０が設けられている。バルコニー１２側に設置されたエアコン室外機１０は、冷媒管及び電源コードを含む配管５４を介して、屋内１６側に設置されたエアコン室内機５２に接続されるようになっており、配管５４の長手方向の一端部５４Ａはエアコン室外機１０に接続され、配管５４の長手方向の他端部５４Ｂはエアコン室内機５２に接続されている。
【００４１】
ここで、当該エアコン室外機１０側では、配管５４は、腰壁部２６側から見て、エアコン室外機１０の奥方、つまり、凹部３６の奥壁部３６Ａ側に上下方向に沿って配設されている。凹部３６の上壁部３６Ｂには、内壁パネル４２とふかし壁４８とで形成された空間部５０と凹部３６とを連通させる貫通孔５６が形成されており、この貫通孔５６を通じて、当該空間部５０内に配管５４が配設されている。また、ふかし壁４８には、空間部５０と屋内１６とを連通させる貫通孔５８が形成されており、この貫通孔５８を通じて、空間部５０内に配設された配管５４がエアコン室内機５２に接続されている。
【００４２】
図１に示されるように、本実施形態では、バルコニー１２の外壁部１８に凹部３６を設けることによって、屋内１６側において当該凹部３６が設けられた領域６０では、内壁パネル４２の位置はＸ１となる。つまり、凹部３６が設けられていない、一般部６２における内壁パネル４２の位置（内壁の一般面）Ｘ２に対して、屋内１６側へオフセットされた状態となっている。以下、屋内１６側において当該凹部３６が設けられた領域を突出部６０と称し、当該突出部６０の一部を構成する内壁パネル４２の下部を内壁パネル４２Ａと称する。
【００４３】
そして、図１、図２に示されるように、本実施形態では、屋内１６側に設けられた突出部６０を含んで収納部６４が形成されており、当該収納部６４は、ふかし壁４８の下方側に設けられている内壁パネル４２Ａと一体化されている。
【００４４】
例えば、収納部６４は、平面視で矩形状を成しており、外壁部３２に沿って配置されている。また、収納部６４は、突出部６０の一部を構成する内壁パネル４２Ａに収納部６４の側板（図示省略）が固定される。これにより、突出部６０と収納部６４が一体化される。なお、当該内壁パネル４２Ａによって収納部６４の側板が構成されるようにしてもよい。また、収納部６４の前面側には、当該収納部６４の長手方向の左右にそれぞれ扉６５が設けられており、収納部６４の長手方向の両端をそれぞれヒンジ部として観音開き可能とされている。
【００４５】
（エアコン室外機の設置構造の作用及び効果）
次に、本実施の形態に係るエアコン室外機の設置構造の作用及び効果について説明する。
【００４６】
図１、図２に示されるように、本実施形態では、バルコニー１２と屋内１６を区画する外壁部１８の下部１８Ａにおいて、当該バルコニー１２の側壁部２８側に、屋内１６側へ向かって凹む凹部３６が形成されている。この凹部３６内に、バルコニー１２に設置されるエアコン室外機１０の長手方向の一端部１０Ａが収納されている。
【００４７】
例えば、比較例として、図３に示されるように、バルコニー１００の外壁部１０２に図１示す凹部３６が設けられていない場合、バルコニー１００の外壁部１０２の壁面１０３を基準として、エアコン室外機１０４の突出量はＬ’となる。
【００４８】
つまり、バルコニー１００の外壁部１０２の壁面１０３からエアコン室外機１０４が突出している分、当該エアコン室外機１０４とバルコニー１００の腰壁部１０６との離間距離（Ｌ１’）は小さくなる。このため、図４に示されるように、当該エアコン室外機１０４の上に幼児が乗ると、バルコニー１００の腰壁部１０６に手が届いてしまう可能性がある。
【００４９】
これに対して、本実施形態では、前述のように、図１、図２に示すバルコニー１２の外壁部１８の下部１８Ａに凹部３６が形成され、当該凹部３６内に、エアコン室外機１０の長手方向の一端部１０Ａが収納されている。
【００５０】
このように、本実施形態では、バルコニー１２の外壁部１８に形成された凹部３６内にエアコン室外機１０の長手方向の一端部１０Ａが収納されることによって、バルコニー１２の外壁部１８の壁面１９を基準として、エアコン室外機１０が突出する突出量Ｌは、図３に示す比較例による突出量Ｌ’よりも少なくなる。
【００５１】
したがって、本実施形態では、エアコン室外機１０の突出量Ｌが少なくなった分、図１、図２に示されるように、バルコニー１２という限られたスペース内でエアコン室外機１０とバルコニー１２の腰壁部２６との離間距離Ｌ１を図３に示す比較例による離間距離Ｌ１’よりも大きくすることが可能となる。
【００５２】
ここで、特に住宅密集地である都市部においては、比較的狭小な土地の上に住宅を建てる所謂狭小住宅といわれる建物が多くみられる。このような狭小建物では、一般建物と比較すると、バルコニーの奥行方向の寸法が狭くなってしまう。前述のように、本実施形態では、限られたスペース内でエアコン室外機１０とバルコニー１２の腰壁部２６との離間距離を大きくすることが可能となる。
【００５３】
したがって、狭小建物におけるバルコニー１２において、本実施形態におけるエアコン室外機１０の設置構造は、特に効果的である。なお、本実施形態におけるエアコン室外機１０の設置構造は、いわゆるインナバルコニーであっても適用可能であり、本実施形態におけるエアコン室外機１０の設置構造を適用することによって、設計プランの自由度が向上する。
【００５４】
また、図１に示されるように、本実施形態では、エアコン室外機１０は、その長手方向がバルコニー１２の奥行方向（矢印Ａ方向）と一致するように設置されている（縦置き）。これにより、図示はしないが、エアコン室外機１０が横置きにされた場合と比較して、バルコニー１２の奥行方向と略直交するバルコニー１２の長手方向に沿った凹部３６の幅方向の寸法Ｗ１を短くすることができる。これにより、屋内１６側において、ガラス戸用の開口部２０の面積を広くすることができ、採光性を向上させることができる。
【００５５】
さらに、本実施形態では、図２に示されるように、エアコン室外機１０の長手方向の一端部１０Ａが凹部３６内に収納された状態で、エアコン室外機１０のファン部３８が当該凹部３６から露出されている。これにより、ファン部３８の通風性が確保されるようにしている。なお、ファン部３８は、必ずしも全てが完全に凹部３６から露出していなくてもよい。
【００５６】
ところで、バルコニー１２に設置されたエアコン室外機１０を屋内１６に設置されたエアコン室内機５２に接続させるため、配管５４が必要である。比較例では、図４に示されるように、バルコニー１００の外壁部１０２に沿って、配管１０８が設けられており、バルコニー１００側において、配管１０８が露出している。
【００５７】
これに対して、本実施形態では、図２に示されるように、凹部３６の上方側の外壁部１８において、バルコニー１２側を構成する外壁パネル４０と屋内１６側を構成するふかし壁４８の間、より具体的には、内壁パネル４２とふかし壁４８の間に、エアコン室内機５２とエアコン室外機１０を接続させる配管５４が配設されている。
【００５８】
これにより、エアコン室内機５２用の配管５４が屋内１６側に露出しないようにすることができ、屋内１６をすっきりさせることができる。また、バルコニー１２側においても屋内１６と同様、配管５４が露出しないようにすることができ、バルコニー１２をすっきりさせることができる。なお、ふかし壁４８は必ずしも必要ではなく、バルコニー１２側、屋内１６側において、配管５４が露出してもよい。
【００５９】
また、本実施形態では、図１、図２に示されるように、バルコニー１２の外壁部１８の屋内１６側を構成する内壁パネル４２の一般面４３に対して、内壁パネル４２Ａを当該屋内１６側へオフセットさせて凹部３６が形成されている。これにより、屋内１６側では突出部６０が設けられることとなり、当該突出部６０の一部を含んで収納部６４が形成されている。
【００６０】
このように、凹部３６の形成に伴って形成された突出部６０による突出分が、屋内１６側に露出することはなく、収納部６４の形成によって有効活用されることとなる。なお、凹部３６の寸法Ｄによっては、必ずしも内壁パネル４２Ａを屋内１６側へオフセットさせる必要はない。また、収納部６４は必ずしも必要ではなく、屋内１６側に突出部６０が露出した状態であってもよい。
【００６１】
さらに、本実施形態では、エアコン室外機１０は縦置きとされているが、横置きとされてもよい。すなわち、図示はしないが、エアコン室外機１０の長手方向が外壁部１８に沿うようにして、当該エアコン室外機１０が設置されてもよい。
【００６２】
このように、エアコン室外機１０を横置きにした場合、エアコン室外機１０を縦置きにした場合と比較して、当該エアコン室外機１０と腰壁部２６との離間距離が大きくなる。このため、エアコン室外機１０と腰壁部２６との離間距離が大きくなった分、屋内１６の外壁部１８を腰壁部２６側に出すことで、屋内スペースを広くすることが可能となる。
【００６３】
また、本実施形態では、バルコニー１２と屋内１６を区画する外壁部１８の下部１８Ａに形成された凹部３６内に、バルコニー１２に設置されるエアコン室外機１０の長手方向の一端部１０Ａが収納されているが、これに限るものではない。例えば、当該凹部３６内に、バルコニー１２に設置されるエアコン室外機１０が全て収納されるようにしてもよい。
【００６４】
さらにまた、本実施形態では、凹部３６は、バルコニー１２の側壁部２８側に、平面視で逆Ｌ字状に形成されているが、当該凹部３６内にエアコン室外機１０の少なくとも一部が収納できればよいため、これに限るものではない。例えば、図示はしないが、凹部が平面視で三角形状を成すように形成されてもよい。なお、この場合、エアコン室外機１０は凹部の形状に沿って斜め置きされる。
【００６５】
また、本実施形態では、バルコニー１２は平面視で矩形状を成しているが、バルコニー１２の形状はこれに限るものではない。例えば、図示はしないが、バルコニーの形状が、平面視でＬ字状を成してもよい。
【００６６】
さらに、本実施形態では、建物ユニットを例に挙げてエアコン室外機の設置構造について説明したが、例えば、鉄骨軸組工法により建築される建物において本発明に係るエアコン室外機の設置構造が適用されてもよいのは勿論のことである。
【符号の説明】
【００６７】
１０    エアコン室外機
１２    バルコニー
１６    屋内
１８    外壁部
１８Ａ  下部（外壁部の下部）
２６    腰壁部（バルコニーの前壁部）
２８    側壁部（バルコニーの側壁部）
３０    側壁部（バルコニーの側壁部）
３６    凹部
３８    ファン部
４０    外壁パネル（外壁）
４２    内壁パネル（内壁）
４８    ふかし壁（内壁）
５２    エアコン室内機
５４    配管
６４    収納部
Ｘ２    位置（内壁の一般面）
【図１】
2020180448.tif 000003
【図２】
2020180448.tif 000004
【図３】
2020180448.tif 000005
【図４】
2020180448.tif 000006